(57)【要約】【課題】インテークバルブ１１またはエキゾーストバルブ１２の開閉タイミングを可変とする可変バルブタイミング装置３０と、クランク室１５内のブローバイガスを吸気系に導くブローバイガス還元装置４０とを有する内燃機関１の制御装置１０において、吸気ポート３ａ壁面へのデポジットの付着、堆積を低減できるようにする。【解決手段】制御装置１０は、インテークバルブ１１とエキゾーストバルブ１２とが共に開くオーバーラップ期間Ａが大のときに、ブローバイガス還元装置４０によるブローバイガス還流量を減らす処理を実行する。このように吸気系へのブローバイガス還流量を減らすと、ブローバイガスによるクランク室１５からのオイルの持ち出し量を少なくすることが可能になるから、オーバーラップ期間Ａが大きくなる状況でも、吸気ポート３ａにＰＭ等が付着しにくくなる。【選択図】図３
2006299929.tif 000002
【特許請求の範囲】
【請求項１】
インテークバルブまたはエキゾーストバルブの開閉タイミングを可変とする可変バルブタイミング装置と、クランク室内のブローバイガスを吸気系に導くブローバイガス還元装置とを有する内燃機関の制御装置であって、
インテークバルブとエキゾーストバルブとが共に開くオーバーラップ期間が大のときに、前記ブローバイガス還元装置によるブローバイガス還流量を減らす処理を実行することを特徴とする内燃機関の制御装置。
【請求項２】
前記オーバーラップ期間が小のときに、前記ブローバイガス還元装置によるブローバイガス還流量を増やすことを特徴とする請求項１に記載の内燃機関の制御装置。
【請求項３】
インテークバルブまたはエキゾーストバルブの開閉タイミングを可変とする可変バルブタイミング装置と、クランク室内のブローバイガスを吸気系に導くものでかつブローバイガス通路に通路開度を調整するＰＣＶバルブを有するブローバイガス還元装置とを含む内燃機関の制御装置であって、
前記インテークバルブおよびエキゾーストバルブが共に開くオーバーラップ期間を検知する検知手段と、
この検知手段で検知したオーバーラップ期間が所定の基準値以上か否かを判定する判定手段と、
この判定手段で基準値以上と判定した場合に、前記ＰＣＶバルブの開度を絞ってブローバイガス還流量を減らすよう制御する対処手段とを含むことを特徴とする内燃機関の制御装置。
【請求項４】
前記ＰＣＶバルブは、その開度が電気的信号により連続的に変化する電磁弁とされていることを特徴とする請求項３に記載の内燃機関の制御装置。
【発明の詳細な説明】
【技術分野】
【０００１】
本発明は、可変バルブタイミング装置とブローバイガス還元装置とを有する内燃機関の制御装置に関する。
【背景技術】
【０００２】
内燃機関では、燃焼室内からピストンとシリンダ壁との間隙を通ってクランク室に洩れ出るブローバイガスを、そのまま大気に放出すると大気汚染の原因となるため、一般的に、ＰＣＶシステムと呼ばれるブローバイガス還元装置を装備するようになっている（例えば、特許文献１，２参照。）。
【０００３】
ブローバイガス還元装置は、クランク室内のブローバイガスを、ブローバイガス通路を通じて吸気系のスロットルバルブ下流に導き、燃焼室で新混合気と共に再燃焼させるようになっている。
【０００４】
ブローバイガス通路には、ＰＣＶバルブが介装されている。このＰＣＶバルブは、その上流側と下流側との差圧によって開弁するものとされており、このＰＣＶバルブの開度は吸気系の負圧によって一義的に定められる。
【０００５】
ところで、内燃機関には、インテークバルブまたはエキゾーストバルブの開閉タイミングを可変とする可変バルブタイミング装置を装備したものがある（例えば、特許文献３参照。）。
【特許文献１】特開平１０−７７８２１号公報
【特許文献２】特開２００４−１３７９２１号公報
【特許文献３】特開２０００−４５８０２号公報
【発明の開示】
【発明が解決しようとする課題】
【０００６】
上記特許文献１，２に示す従来例は、ブローバイガス還元装置によって吸気ポートに還流するブローバイガスの量が多くなると、ブローバイガスによるクランク室内のオイルの持ち出し量が多くなるから、ブローバイガス中に混在するオイルが吸気ポート壁面にデポジットとして付着しやすくなる。
【０００７】
一方、上記特許文献３に示す従来例は、例えば可変バルブタイミング装置によりインテークバルブとエキゾーストバルブとが共に開くオーバーラップ期間が大きくなるときに、排気ガス中に混在する粒子状物質（ＰＭ：Paticulate Matter）が吸気ポートへ吹き返す
現象が発生しやすくなる。
【０００８】
つまり、特許文献１，２に示すブローバイガス還元装置と特許文献３に示す可変バルブタイミング装置とを共に有する内燃機関では、吸気ポートへの排気ガスの吹き返し量が多くなるオーバーラップ期間が大の状況において、ブローバイガス還元装置による吸気系へのブローバイガス還流量が多くなると、ブローバイガスによるクランク室内のオイルの持ち出し量が多くなるため、吸気ポートにおいて、比較的大量のブローバイガス中に混在する比較的大量のオイルがバインダーとなって、排気ガス中のＰＭを吸気ポート壁面にデポジットとして付着、堆積させやすく作用することが懸念される。
【０００９】
本発明は、可変バルブタイミング装置およびブローバイガス還元装置を有する内燃機関の制御装置において、吸気ポート壁面へのデポジットの付着、堆積を低減できるようにす
ることを目的としている。
【課題を解決するための手段】
【００１０】
本発明に係る内燃機関の制御装置は、インテークバルブまたはエキゾーストバルブの開閉タイミングを可変とする可変バルブタイミング装置と、クランク室内のブローバイガスを吸気系に導くブローバイガス還元装置とを有するものであって、インテークバルブとエキゾーストバルブとが共に開くオーバーラップ期間が大のときに、前記ブローバイガス還元装置によるブローバイガス還流量を減らす処理を実行することを特徴としている。
【００１１】
このように、吸気ポートへのブローバイガス還流量を減らすと、ブローバイガスによるオイルの持ち出し量を少なくすることができる。これにより、オーバーラップ期間が大きくなったときでも、吸気ポートにＰＭ等が付着しにくくなる。
【００１２】
上記内燃機関の制御装置において、前記オーバーラップ期間が小のときに、前記ブローバイガス還元装置によるブローバイガス還流量を増やすようにしてもよい。
【００１３】
このように、オーバーラップ期間が小のときは吸気ポートへの排気ガスの吹き返しが少ないので、クランク室内からのブローバイガス排出量を増やすようにしても、吸気ポート壁面へデポジットが付着しにくくなる。つまり、このような状況において、ブローバイガス排出を積極的に行わせることで、エンジンオイルの劣化防止に効果的となる。
【００１４】
そもそも、上述しているように、オーバーラップ期間が大のときにブローバイガス還流量を減らすと、クランク室からのトータルでのブローバイガス排出量が減ることになってしまう。これに対し、上述したように、オーバーラップ期間の大小に応じてブローバイガス還流量を減増させるようにすれば、吸気ポート壁面へのデポジットの付着を低減したうえで、クランク室からのトータルでのブローバイガス排出量を十分に確保できるようになり、好ましい。
【００１５】
本発明の内燃機関の制御装置は、インテークバルブまたはエキゾーストバルブの開閉タイミングを可変とする可変バルブタイミング装置と、クランク室内のブローバイガスを吸気系に導くものでかつブローバイガス通路に通路開度を調整するＰＣＶバルブを有するブローバイガス還元装置とを含むものであって、前記インテークバルブおよびエキゾーストバルブが共に開くオーバーラップ期間を検知する検知手段と、この検知手段で検知したオーバーラップ期間が所定の基準値以上か否かを判定する判定手段と、この判定手段で基準値以上と判定した場合に、前記ＰＣＶバルブの開度を絞ってブローバイガス還流量を減らすよう制御する対処手段とを含むことを特徴としている。
【００１６】
ここでは、制御装置の構成を機能的に分けて詳細に記載している。
【００１７】
上記制御装置において、前記ＰＣＶバルブを、その開度が電気的信号により連続的に変化する電磁弁とすることができる。
【００１８】
この構成によれば、ＰＣＶバルブの絞り制御が比較的簡単に高精度に行えるようになり、好ましい。
【発明の効果】
【００１９】
本発明によれば、インテークバルブとエキゾーストバルブとが共に開くオーバーラップ期間において、ブローバイガスによるオイル持ち出し量を少なくすることが可能になるから、吸気ポートに吹き返される排気ガス中に混在しているＰＭが、吸気ポート壁面に付着しにくくなって、吸気ポートに対するデポジットの付着、堆積を低減することが可能にな
る。したがって、吸気ポートにおける吸気抵抗の増大を抑制できて、内燃機関の性能を長期にわたって維持するうえで有利となる。
【発明を実施するための最良の形態】
【００２０】
以下、本発明の実施形態を図１から図３に示して説明する。
【００２１】
この実施形態では、内燃機関として直噴火花点火式ガソリンエンジンを例に挙げている。図１に示すように、内燃機関１は、少なくともシリンダブロック２、シリンダヘッド３、オイルパン４、複数のピストン５・・・を有する。
【００２２】
シリンダブロック２とシリンダヘッド３とピストン５とで形成する燃焼室６には、燃料供給系のインジェクタ７から供給される燃料と吸気系から導入される空気との混合気が供給されて点火プラグ８により着火燃焼され、燃焼室６内の燃焼により発生する排気ガスが排気系から排出される。
【００２３】
吸気系は、シリンダヘッド３の吸気ポート３ａ、インテークマニホルド２１、吸気管２２、スロットルバルブ２３および図示しないエアクリーナ等を有している。
【００２４】
排気系は、シリンダヘッド３の排気ポート３ｂ、エキゾーストマニホルド２４、図示しないマフラーおよび触媒コンバータ等を有している。
【００２５】
この内燃機関１には、可変バルブタイミング装置３０およびブローバイガス還元装置４０が設けられている。
【００２６】
可変バルブタイミング装置３０は、インテークバルブ１１またはエキゾーストバルブ１２の開閉タイミングやリフト量を制御するインテークカムシャフト１３またはエキゾーストカムシャフト１４の位相を連続可変させるものである。
【００２７】
この可変バルブタイミング装置３０は、この実施形態では、例えばVVT-i（Variable Valve Timing-intelligent）と呼ばれるものとされており、例えばインテークカムシャフト１３側に設けられるベーン型アクチュエータ３１と、このベーン型アクチュエータ３１を制御する油圧コントローラ３２とを含む。
【００２８】
そして、可変バルブタイミング装置３０は、下記する制御装置１０からの制御指令に応答して、例えば図２に示すように、インテークバルブ１１の閉時期をコントロールすることによって、インテークバルブ１１とエキゾーストバルブ１２とが共に開くオーバーラップ期間Ａを管理するようになっている。
【００２９】
ブローバイガス還元装置４０は、シリンダブロック２とオイルパン４とで形成するクランク室１５内のブローバイガスを吸気系に導いて燃焼室６で新混合気と共に再燃焼させるもので、クランク室１５内と吸気管２２においてスロットルバルブ２３の上流側とを連通連結するブローバイガス通路４１と、ブローバイガス通路４１に通路開度を調整するＰＣＶバルブ４２とを含む。
【００３０】
ＰＣＶバルブ４２は、例えば図示していないが、弁体をデューティソレノイド又はステップモータで駆動する構成の電磁弁とされており、制御装置１０からの信号（デューティ信号又はステップ信号）によってブローバイガス通路４１における開度が連続的に変化される。
【００３１】
以上説明した構成を有する内燃機関１のいろいろな運転に関する説明は省略するが、そ
の運転は基本的に制御装置１０により制御される。
【００３２】
制御装置１０は、ＥＣＵ（Electronic Control Unit）であり、公知のように双方向性
バスによって相互に接続した中央処理制御装置（ＣＰＵ）、プログラムメモリ（ＲＯＭ）、データメモリ（ＲＡＭ）等から構成されている。
【００３３】
制御装置１０は、各種のセンサからの出力信号に基づいて、適宜予め定められたプログラムに従って演算処理を行い、内燃機関１の運転に関する動作制御を行う。
【００３４】
なお、上記各種のセンサとしては、例えばクランク角センサ１６、吸気圧センサ１７、カム角センサ１８やその他の図示していないセンサがある。
【００３５】
クランク角センサ１６は、内燃機関１の各カムシャフト１３，１４の回転に同期して、基準クランク角毎に気筒判別信号を含む基準信号を出力し、また単位クランク角毎に単位信号を出力し、これらによりクランク角を検知し得ると共に、内燃機関１の回転数を算出することが可能である。
【００３６】
また、吸気圧センサ１７は、インテークマニホルド２１内の圧力（負圧）に応じた信号を出力する。
【００３７】
さらに、カム角センサ１８は、図示していないが、例えばインテークカムシャフト１１側に設けられており、クランクシャフト（符号省略）が２回転する毎（７２０°ＣＡ毎）に、つまり内燃機関１のサイクル１周期毎に、１回電圧パルスを出力するものである。
【００３８】
この実施形態では、制御装置１０の機能として、さらにデポジット低減処理を実行するように構成されているので、以下で詳細に説明する。
【００３９】
このデポジット低減処理は、基本的にはインテークバルブ１１とエキゾーストバルブ１２とが共に開くオーバーラップ期間Ａが大のときに、ブローバイガス還元装置４０によるブローバイガス還流量を減らすものである。
【００４０】
この実施形態では、特に、デポジット低減処理において、オーバーラップ期間Ａが大のときにブローバイガス還流量を減らすようにしたうえで、オーバーラップ期間Ａが小のときにブローバイガス還流量を増やすようにしている。
【００４１】
具体的に、制御装置１０によるデポジット低減処理について図３に示すフローチャートを参照して説明する。
【００４２】
まず、ステップＳ１において、インテークバルブ１１およびエキゾーストバルブ１２が共に開くオーバーラップ期間Ａを検知する。このステップＳ１では、カム角センサ１８の出力に基づいてオーバーラップ期間Ａを検知するようにしている。
【００４３】
この後、ステップＳ２において、前記検知したオーバーラップ期間Ａが所定の基準値Ｘ以上か否かを判定する。
【００４４】
仮に、上記ステップＳ１で検知したオーバーラップ期間Ａが基準値Ｘ以上の場合には、上記ステップＳ２で肯定判定して、ステップＳ３において、ＰＣＶバルブ４２の開度を絞ってブローバイガス還流量を減らすよう対処する。
【００４５】
このとき、予めオーバーラップ期間Ａに応じてＰＣＶバルブ４２の開度（ブローバイガ
ス流量）を記憶させたテーブルを制御装置１０のメモリ内に格納しておき、このテーブルに照合してＰＣＶバルブ４２の開度を設定するようにできる。具体的には、オーバーラップ期間Ａが大きい程、前記開度を絞る方向に設定する。
【００４６】
しかし、上記ステップＳ１で検知したオーバーラップ期間Ａが基準値Ｘ未満の場合には、上記ステップＳ２で否定判定して、ステップＳ４において、ＰＣＶバルブ４２の開度を大きくしてブローバイガス還流量を増やすよう対処する。
【００４７】
この場合も、上記同様に、制御装置１０のメモリ内のテーブルに照合してＰＣＶバルブ４２の開度を設定するようにできる。具体的には、オーバーラップ期間Ａが小さい程、前記開度を大きくする方向に設定する。
【００４８】
なお、上述したステップＳ１が検知手段に相当し、ステップＳ２が判定手段に相当し、ステップＳ３およびＳ４が対処手段に相当する。
【００４９】
以上説明したように、可変バルブタイミング装置３０とブローバイガス還元装置４０とを共に有する内燃機関１において、インテークバルブ１１とエキゾーストバルブ１２とを共に開くオーバーラップ期間Ａが大きくなるときに、吸気ポート３ａへの排気ガスの吹き返し量が多くなるものの、上述したように、ブローバイガス還元装置４０から吸気ポート３ａへのブローバイガス還流量を積極的に減らすことにより、ブローバイガスによるクランク室１５内のオイルの持ち出し量を少なくさせるようにしている。
【００５０】
そのため、吸気ポート３ａに吹き返される排気ガス中に混在しているＰＭが、吸気ポート３ａ壁面に付着しにくくなって、吸気ポート３ａに対するデポジットの付着、堆積を低減することが可能になる。
【００５１】
したがって、吸気ポート３ａにおける吸気抵抗の増大を抑制できて、内燃機関１の性能を長期にわたって維持するうえで有利となる。
【００５２】
しかも、上記実施形態では、吸気ポート３ａへの排気ガスの吹き返し量が少ないオーバーラップ期間Ａの小の状況において、ブローバイガス還流量を増やすようにしているから、吸気ポート３ａ壁面へのデポジットの付着を低減したうえで、クランク室１５内からのトータルでのブローバイガス排出量を増やせるようになり、エンジンオイルの劣化防止に効果的となる。
【００５３】
そもそも、上述したように、オーバーラップ期間Ａが大のときにブローバイガス還流量を減らすと、クランク室１５からのトータルでのブローバイガス排出量が減ることになる。
【００５４】
そこで、上述したように、オーバーラップ期間Ａの大小に応じてブローバイガス還流量を減増させるようにすれば、吸気ポート３ａに対するデポジットの付着、堆積を低減したうえで、クランク室１５からのトータルでのブローバイガス排出量を十分に確保できるようになり、好ましい。
【００５５】
以下、本発明の他の実施形態を説明する。
【００５６】
（１）上記実施形態では、カム角センサ１８の出力に基づいて実際のオーバーラップ期間Ａを検知するようにしているが、例えばオーバーラップ期間Ａの目標設定値を取り込むようにしてもよい。
【００５７】
（２）上記実施形態では、オーバーラップ期間Ａが基準値Ｘ未満の場合にブローバイガス還流量を増やすようにしているが、オーバーラップ期間Ａが基準値Ｘ未満の場合におけるブローバイガス還流量を適宜に設定した固定値とし、単にオーバーラップ期間Ａが基準値Ｘ以上の場合のみにブローバイガス還流量を減らすような形態にしてもよい。
【００５８】
（３）上記可変バルブタイミング装置３０については特に限定されるものではなく、一般的に公知のいろいろなタイプのものを用いた内燃機関１であっても、本発明を適用できる。
【００５９】
（４）上記実施形態では、内燃機関１として直噴火花点火式ガソリンエンジンを例に挙げたが、ディーゼルエンジンやガスエンジン等の希薄燃焼エンジンとしてもよい。
【図面の簡単な説明】
【００６０】
【図１】本発明の一実施形態に係る制御装置を備える内燃機関を示す概略構成図である。
【図２】図１の制御装置によるインテークバルブおよびエキゾーストバルブの開閉タイミングを示すグラフである。
【図３】図１の制御装置によるブローバイガス還流量の制御動作を説明するためのフローチャートである。
【符号の説明】
【００６１】
１      内燃機関
３      シリンダブロック
３ａ    吸気ポート
７      燃焼室
１０      制御装置
１１      インテークバルブ
１２      エキゾーストバルブ
１５      クランク室
３０      可変バルブタイミング装置
４０      ブローバイガス還元装置
４１      ブローバイガス通路
４２      ＰＣＶバルブ
【図１】
2006299929.tif 000003
【図２】
2006299929.tif 000004
【図３】
2006299929.tif 000005